(57)【特許請求の範囲】
【請求項１】
システムまたは装置の状態表示／操作入力を受け付けるヒューマンインターフェースの表示／操作部の設計方法であって、
システムまたは装置の機種毎に変わらない画面部品／文字／記号などのデータは共通の画面構成データとして設計し、装置との送受信模擬を行い、画面表示を図面化する画面設計ツールと、機種毎に異なる機器操作／状態表示信号や保護演算での整定値などのデータは個別の可変データとして設計する可変データ設計ツールとをパソコンに搭載し、
前記画面設計ツールは、装置がもつヒューマンインターフェースのデータの送受信を模擬し、ディスプレイ上にヒューマンインターフェース画面の表示を行う手順と、当該画面表示を図面データとして保存する手順と、を有し、
前記可変データ設計ツールは、前記ヒューマンインターフェース画面の画面構成枠と同様のフォーマットの可変データ設定シートをディスプレイ上に表示し、この設定シートには各種項目のデータを順次書き込み、または他のデータのコピーと編集で可変データ設定を行う手順を有する
ことを特徴とするヒューマンインターフェースの表示／操作部設計方法。
【請求項２】
前記可変データ設計ツールは、システムまたは装置の設計に際して、ＣＡＤで作成された図面データを読み込んでそのテキストファイルを作成し、このテキストファイルを読み込んで前記設定シートに一覧データとして自動書き込みを行い、前記設定シートに書き込まれた一覧データを前記可変データとして設計する手順を有する
ことを特徴とする請求項１に記載のヒューマンインターフェースの表示／操作部設計方法。
【請求項３】
前記可変データ設計ツールは、システムまたは装置の設計に際して、ＣＡＤで作成されたシーケンス図からネットリストファイルを作成し、このネットリストファイルを読み込んで前記設定シートに一覧データとして自動書き込みを行い、前記設定シートに書き込まれた一覧データを前記可変データとして設計する手順を有する
ことを特徴とする請求項１に記載のヒューマンインターフェースの表示／操作部設計方法。
【発明の詳細な説明】
【技術分野】
【０００１】
本発明は、ヒューマンインターフェース（ＨＩ）において、システム（装置）の状態表示／操作入力のための表示／操作部の設計方法に関する。
【背景技術】
【０００２】
ディジタル型保護継電システムやディジタル型監視制御システムなど、コンピュータシステムで構築される各種のディジタル処理システム（装置）は、それに実装されるインタフェースの表示画面を通して、システム（装置）の各種設定入力や状態表示等の機能を有する、いわゆる、ヒューマンインターフェース（ＨＩ）を搭載しており、このＨＩはシステム（装置）に専用の表示／操作部としたものが個々に設計される。
【０００３】
ヒューマンインターフェースの表示／操作部は、通常、ＣＡＤによりＨＩ画面を作図し、そのＨＩ画面から設計者がＨＩ画面の描画データ（画面構成と設定データ）と表示／操作プログラムを設計している（例えば、特許文献１参照）。
【０００４】
図１４は保護継電システムのヒューマンインターフェース画面の例を、図１５には図１４のＨＩ画面の描画データの例を示す。この描画データには、ＨＩ画面中の枠、ボタンなど、機種毎に変わらない画面部品／文字／記号などのデータは共通の画面構成データとして設計されるが、「常監ロック（Ｍ）」、「４３−７９使用」などの機種毎に異なる機器操作／状態表示信号や保護演算での整定値などのデータは個別の可変データとして設計される。
【特許文献１】特開２００２−３７４６１６号公報
【発明の開示】
【発明が解決しようとする課題】
【０００５】
従来のＨＩ表示／操作部の設計方法では、以下の問題があった。
【０００６】
（１）実機のＨＩ画面構成の設計には、ＣＡＤ図面を基に画面描画プログラムを使ってＨＩ画面を設計するが、ＣＡＤ図面と寸分違わないＨＩ画面構成を得るフォーマットにした画面描画プログラムの設計が困難になる場合がある。
【０００７】
例えば、ＣＡＤ図面を作成する環境と、ＨＩ画面を表示する環境の解像度に違いがあるような場合には、両者の座標（ボタン位置、表示位置、ページ表示の幅、外枠との間隔など）を完全に一致させることができない。
【０００８】
（２）表示／操作部の可変データは、例えば、保護継電システムでは、整定値、強制制御、試験設定、オシロ出力、リレー動作、入力電気量、異常コードなどから構成され、コメントを含めて３０００行程度の大量のデータになる。これらデータは、ＣＡＤ図面を見て設定を行っているが、大量のデータ設定には誤りが生じやすく、また大量のデータ設定／確認には作業工数も多大となる。
【０００９】
本発明の目的は、可変データの設計を確実、容易にしたヒューマンインターフェースの表示／操作部設計方法を提供することにある。
【課題を解決するための手段】
【００１０】
本発明は、前記の課題を解決するため、ＣＡＤによるＨＩ設計図面を読み込み・コピー・編集してＨＩの可変データを設計するようにしたもので、以下の方法を特徴とする。
【００１１】
（１）システムまたは装置の状態表示／操作入力を受け付けるヒューマンインターフェースの表示／操作部の設計方法であって、
システムまたは装置の機種毎に変わらない画面部品／文字／記号などのデータは共通の画面構成データとして設計し、装置との送受信模擬を行い、画面表示を図面化する画面設計ツールと、機種毎に異なる機器操作／状態表示信号や保護演算での整定値などのデータは個別の可変データとして設計する可変データ設計ツールとをパソコンに搭載し、
前記画面設計ツールは、装置がもつヒューマンインターフェースのデータの送受信を模擬し、ディスプレイ上にヒューマンインターフェース画面の表示を行う手順と、当該画面表示を図面データとして保存する手順と、を有し、
前記可変データ設計ツールは、前記ヒューマンインターフェース画面の画面構成枠と同様のフォーマットの可変データ設定シートをディスプレイ上に表示し、この設定シートには各種項目のデータを順次書き込み、または他のデータのコピーと編集で可変データ設定を行う手順を有することを特徴とする。
【００１２】
（２）前記可変データ設計ツールは、システムまたは装置の設計に際して、ＣＡＤで作成された図面データを読み込んでそのテキストファイルを作成し、このテキストファイルを読み込んで前記設定シートに一覧データとして自動書き込みを行い、前記設定シートに書き込まれた一覧データを前記可変データとして設計する手順を有することを特徴とする。
【００１３】
（３）前記可変データ設計ツールは、システムまたは装置の設計に際して、ＣＡＤで作成されたシーケンス図からネットリストファイルを作成し、このネットリストファイルを読み込んで前記設定シートに一覧データとして自動書き込みを行い、前記設定シートに書き込まれた一覧データを前記可変データとして設計する手順を有することを特徴とする。
【発明の効果】
【００１４】
以上のとおり、本発明によれば、ＣＡＤによるＨＩ設計図面を読み込み・コピー・編集してＨＩの可変データを設計するようにしたため、可変データの設計が確実、容易になる。
【００１５】
具体的には、ＨＩ画面表示がそのままＨＩ図面となるため、フォーマットのズレが生じない。また、ＨＩ画面データの設計に人手を介さないため、誤りが無くなり、品質が向上する。また、設計工数が削減される。
【発明を実施するための最良の形態】
【００１６】
図１は、本発明の実施形態を示す保護継電装置用のＨＩ表示／操作部の設計装置であり、その要部構成のみを示す。
【００１７】
図１において、設計装置としてはパソコンを使用し、このパソコンにはソフトウェアとして少なくとも画面設計ツール１と可変データ設計ツール２を搭載し、データとして可変データ設定シート３とＨＩ画面データファイル４を設け、パソコンの付属装置になるディスプレイ５やキーボード６、マウス７を設計者に対する入出力手段として利用するものである。
【００１８】
画面設計ツール１は、装置がもつヒューマンインタフェースのデータの送受信を模擬し、ディスプレイ５にはＨＩ画面を表示する。さらに、画面設計ツール１は、画面表示の図面データ化を行い、データファイル４に保存する。これら一連の処理は、設計者によるマウス操作やキーボード操作と、ディスプレイ５での表示というパソコンが搭載するヒューマンインターフェース（ＰＣのＨＩ）を利用できる。
【００１９】
可変データ設計ツール２は、ＨＩ画面の画面構成枠と同様のフォーマットの可変データ設定シート３（例えば、図３のシート）をディスプレイ５上に表示し、この設定シートには各種項目のデータを順次書き込み、またはＣＡＤ図面など他のデータのコピーと編集で設定し、この後、設計者が「可変データ設定」ボタンをクリックすることで、各設定データが画面構成データとリンクさせた可変データがＨＩ画面データファイル４に格納される。
【００２０】
したがって、本実施形態では、保護継電装置などのＨＩ画面をそのまま画面構成データとして利用することで、フォーマットなどのズレが生じることはない。また、可変データ設定シートに各項目の設定データを入力、またはコピーと編集を行うことで、可変データの入力ミスを犯すことがなくなるし、大量のデータにもその入力操作の手間を大幅に減らすことができる。
【００２１】
以下、保護継電装置のＨＩ画面の設計例として、可変データの設定を設定項目別に説明する。
【００２２】
（Ａ）整定値データの図面との連動化
前記の特許文献１ではデータ設定画面を表示して個々に入力を行うことが予想される。例えば、図面の中には「リレー特性図」という箇所があり、そこにも整定名称、整定範囲、単位刻みを記述する。他の提案では「リレー特性図」も同様であればソフトウェア設計と図面の二箇所に入力する必要があると予想される。
【００２３】
本例では「リレー特性図」から整定名称、整定範囲、単位刻み等の整定値データファイルを可変データ設計ツール２で読み込み、整定値の自動設定を行う。したがって「リレー特性図」で記述したデータがそのまま、ＨＩ画面データ、ＨＩ図面になる。整定値データの設定手順の詳細を以下に示す。
【００２４】
（Ｓ１）リレー特性図
図４のように、保護継電装置の設計に際して、ＣＡＤでリレー特性図が作成される。
【００２５】
（Ｓ２）整定値データファイルの作成
ＶＢ（ビジュアルベーシック）等で作成した整定値データ抽出計ツールにより、整定値データファイルを作成し、ＣＡＤで作成されたリレー特性図に対する「処理開始」を入力操作することにより、図５に示すように、リレー特性図に設定されている整定値データファイルを作成する。このデータファイルは、リレー特性図のデータをそのまま抽出したテキストファイルとなる。
【００２６】
（Ｓ３）整定値データの設定
可変データ設計ツールにおいて、整定値データを読み込み、このデータを設定シート３としての「整定値一覧」シートに自動書き込みを行う。図６は自動書き込みされた整定値一覧シートの例を示す。
【００２７】
（Ｓ４）整定値データのコピー
可変データ設計ツール２において、設定シート３に「整定値一覧」シートからコピーする。順序や配置（空きの考慮など）は人間の判断が必要となるので、設定シート３ヘは直接設定せずに、「整定値一覧」シートからコピーする。
【００２８】
このようにすることによって、「リレー特性図」で記述したデータが、図７に示すように、そのままＨＩ画面の可変データとして設定される。
【００２９】
（Ｂ）オシロ選択データ、リレー動作データの図面との連動化
前記の特許文献１ではデータ設定画面を表示して個々に入力を行うことが予想される。図面の中には「リレーシーケンス図」という箇所があり、そこにもオシロ選択データ、リレー動作データを記述する。他の提案では「リレーシーケンス図」も同様であれば、ソフトウェア作成と図面の二箇所に入力する必要があると予想される。
【００３０】
本例では「リレーシーケンス図」からネットリストファイルを出力し、そのファイルを可変データ設計ツール２で読み込み、設定を行う。したがって、「リレーシーケンス図」で記述したデータがそのまま、ＨＩ画面データ、ＨＩ図面になる。オシロ選択データ、リレー動作データの設定手順の詳細を以下に示す。
【００３１】
（Ｓ１）リレーシーケンス図
図８のように、保護継電装置の設計に際して、ＣＡＤでリレーシーケンス図が作成される。これは、市販されているＡｕｔｏＣＡＤなど、ＣＡＤをカスタマイズしたシステムを使用できる。
【００３２】
（Ｓ２）ネットリストファイルの作成
ＣＡＤ上のネットリスト作成メニューの選択によって、図９のようなネットリストファイルを作成する。
【００３３】
（Ｓ３）ネットリストファイルの読み込み
可変データ設計ツール２において、図１０のように、ネットリストファイルのディレクトリィを設定し、「ネットリストの読込およびチェック」ボタンをクリックすると上記のネットリストファイルが読み込まれる。図１０のように、「オシロ信号」シートにオシロ選択データを自動設定し、「リレー信号」シートにリレー動作データを自動設定する。
【００３４】
（Ｓ４）ネットリストファイルの読み込み結果
図１１のように、設定シート３になる「オシロ信号」シートにオシロ選択データが自動設定される。また、図１２のように、「リレー信号」シートにリレー動作データが自動設定される。
【００３５】
（Ｓ５）オシロ選択データ、リレー動作データのコピー
オシロ選択データは可変データ設計ツール２の「オシロ出力」シートの設定を「オシロ信号」シートからコピーすることにより行う。リレー動作データはツール２の「リレー動作」シートの設定を「リレー信号」シートからコピーすることにより行う。順序や配置（空きの考慮など）は人間の判断が必要となるので、「オシロ出力」、「リレー動作」シートヘは直接設定せずに、「オシロ信号」、「リレー信号」シートからコピーする。
【００３６】
このようにすることによって、「リレーシーケンス図」で記述したデータが、図１３に示すように、そのままＨＩ画面の可変データとして設定される。
【００３７】
（Ｃ）異常データの図面との連動化
前記の特許文献１では異常データの図面からデータ設定を行うことが予想される。図面の中には「異常一覧図」という箇所があり、そこにも異常データを記述する。他の提案では「異常一覧図」も同様であれば、ソフトウェア作成と図面の二箇所に入力する必要があると予想される。
【００３８】
本例では「異常一覧図」から異常データファイルを出力し、そのファイルを可変データ設計ツール２で読み込み、設定を行う。したがって「異常一覧図」で記述したデータがそのままＨＩ画面データ、ＨＩ図面になる。
【００３９】
異常データの設定手順は上記の（Ａ）整定値データの図面との連動化と同様になり、その詳細は省略する。
【００４０】
また、保護継電システムでは、表示／操作部の可変データとして、上記の整定値、オシロ出力、リレー動作、異常コードのほか、強制制御、試験設定、入力電気量などがあり、これらについても同様の手順で自動設定できる。さらに、ディジタル型監視制御システムなど、他のディジタル処理システム（装置）におけるＨＩ画面データの自動設計に適用して同等の作用効果を得ることができる。
【図面の簡単な説明】
【００４１】
【図１】本発明の実施形態を示す設計装置の要部構成図。
【図２】ＨＩ表示／操作部画面例。
【図３】設定シートの例。
【図４】リレー特性図の例。
【図５】整定値データファイルの例。
【図６】整定値一覧シートの例。
【図７】可変データの例。
【図８】リレーシーケンス図の例。
【図９】ネットリストファイルの例。
【図１０】ネットリストファイルの読み込みの例。
【図１１】オシロ選択データの自動設定の例。
【図１２】リレー動作データの自動設定の例。
【図１３】可変データの設定の例。
【図１４】ヒューマンインターフェース画面の例。
【図１５】ヒューマンインターフェース画面の描画データの例。
【符号の説明】
【００４２】
１  画面設計ツール
２  可変データ設計ツール
３  可変データ設定シート
４  ＨＩ画面データファイル
５  ディスプレイ
６  キーボード
７  マウス
【図１】
0005309625.tif 000002
【図２】
0005309625.tif 000003
【図３】
0005309625.tif 000004
【図４】
0005309625.tif 000005
【図５】
0005309625.tif 000006
【図６】
0005309625.tif 000007
【図７】
0005309625.tif 000008
【図８】
0005309625.tif 000009
【図９】
0005309625.tif 000010
【図１０】
0005309625.tif 000011
【図１１】
0005309625.tif 000012
【図１２】
0005309625.tif 000013
【図１３】
0005309625.tif 000014
【図１４】
0005309625.tif 000015
【図１５】
0005309625.tif 000016